(57)【要約】【課題】検針業務時のみに検針用の指示値が表示される電子式電力量計を提供する。【解決手段】電線の電圧を検出する電圧検出部１と、電線を流れる電流を検出する電流検出部２と、電圧検出部で検出された電圧及び電流検出部で検出された電流に基づいて、電力を演算し、該電力を積算して電力量を算出する処理部４と、処理部で算出された電力量に基づく検針用の指示値を表示する表示部５と、所定範囲内にある無線タグ１５との間で信号を送受信することにより、無線タグに記憶された第１識別情報を読み取るための無線タグ読み書き装置６と、無線タグ読み書き装置により読み取られた第１識別情報と照合されるべき第２識別情報が記憶された記憶部８とを備え、処理部は、無線タグ読み書き装置により読み取られた第１識別情報と記憶部に記憶された第２識別情報とを照合し、第１識別情報と第２識別情報とが一致したときに、表示部に検針用の指示値を表示させる。【選択図】図１
2006242598.tif 000002
【特許請求の範囲】
【請求項１】
電線の電圧を検出する電圧検出部と、
前記電線を流れる電流を検出する電流検出部と、
前記電圧検出部で検出された電圧及び前記電流検出部で検出された電流に基づいて、電力を演算し、該電力を積算して電力量を算出する処理部と、
前記処理部で算出された電力量に基づく検針用の指示値を表示する表示部と、
所定範囲内にある無線タグとの間で信号を送受信することにより、前記無線タグに記憶された第１識別情報を読み取るための無線タグ読み書き装置と、
前記無線タグ読み書き装置により読み取られた前記第１識別情報と照合されるべき第２識別情報が記憶された記憶部と、
を備え、
前記処理部は、
前記無線タグ読み書き装置により読み取られた前記第１識別情報と前記記憶部に記憶された前記第２識別情報とを照合し、前記第１識別情報と前記第２識別情報とが一致したときに、前記表示部に前記検針用の指示値を表示させることを特徴とする電子式電力量計。
【請求項２】
電線の電圧を検出する電圧検出部と、
前記電線を流れる電流を検出する電流検出部と、
前記電圧検出部で検出された電圧及び前記電流検出部で検出された電流に基づいて、電力を演算し、該電力を積算して電力量を算出する処理部と、
所定範囲内にある無線タグとの間で信号を送受信することにより、前記無線タグに記憶された第１識別情報を読み取るための無線タグ読み書き装置と、
前記処理部で算出された電力量を示す電力量データ及び前記無線タグ読み書き装置により読み取られた前記第１識別情報と照合されるべき第２識別情報が記憶された記憶部と、
外部の検針用機器が接続され、前記検針用機器からのデータ回収要求を受け付けるデータ回収モードが有効であるときに、前記記憶部に記憶された電力量データを前記検針用機器に送信する通信部と、
を備え、
前記処理部は、
前記無線タグ読み書き装置により読み取られた前記第１識別情報と前記記憶部に記憶された前記第２識別情報とを照合し、前記第１識別情報と前記第２識別情報とが一致したときに、前記データ回収モードを有効にするための信号を前記通信部に出力することを特徴とする電子式電力量計。
【請求項３】
前記記憶部は、
前記無線タグ読み書き装置により読み取られた前記第１識別情報と照合されるべき前記第２識別情報とともに前記処理部で算出された電力量を示す電力量データを記憶し、
外部の検針用機器に接続され、前記検針用機器からのデータ回収要求を受け付けるデータ回収モードが有効であるときに、前記記憶部に記憶された電力量データを前記検針用機器に送信する通信部を更に備え、
前記処理部は、
前記無線タグ読み書き装置により読み取られた前記第１識別情報と前記記憶部に記憶された前記第２識別情報とを照合し、前記第１識別情報と前記第２識別情報とが一致したときに、前記表示部に前記検針用の指示値を表示させるとともに前記データ回収モードを有効にするための信号を前記通信部に出力することを特徴とする請求項１記載の電子式電力量計。
【発明の詳細な説明】
【技術分野】
【０００１】
本発明は、検針業務時のみに検針用の指示値が表示される電子式電力量計に関する。
【背景技術】
【０００２】
一般に電気料金は、検針員が毎月１回、各需要家を巡回し、各需要家に設置された電力量計の指示値画面に表示される指示値を確認して、電力量計の指示値に応じて決定される。従来、一般家庭等に設置される電力量計は、検針用の指示値が常に表示されている。
【０００３】
また、工場・ビル等に設置される電力量計として、図７に示すように、現在の指示値が表示される現在計量画面と検針用の指示値画面とが一定間隔でサイクリック表示されるものも知られている。
【０００４】
また、非接触ＩＣタグ及び非接触ＩＣタグと通信させるための質問器を用いた定期巡回業務管理方法が開示されている（特許文献1）。この方法では、メータ等の定期巡回対象に非接触ＩＣタグを設置し、巡回者は非接触ＩＣタグと通信するための質問器を携帯する。また、この方法では、巡回者は定期巡回対象に設置された非接触ＩＣタグに質問器を近接させて、非接触ＩＣタグと質問器との間で信号の授受を行うことにより、巡回者が行なった巡回の巡回記録を取り、この巡回記録を巡回業務の関係者に利用可能にする。
【特許文献１】特開２００３−２２８６１８号公報
【発明の開示】
【発明が解決しようとする課題】
【０００５】
しかしながら、上述したように、一般家庭等に設置される従来の電力量計は、各需要家の使用電力量を表すデータである検針用の指示値が常に不特定多数の目に触れる状態になっている。近年では、この電力量計の検針用の指示値を見ることで、需要家が不在または長期不在であることを判断し、これを悪用した空巣事件等が発生している。
【０００６】
また、工場・ビル等に設置され、現在計量画面と検針用画面とがサイクリック表示される電力量計では、検針員は自動でサイクリック表示される画面表示を見て指示値を控える必要がある。このため、サイクリック表示される電力量計では、検針用の指示値画面が表示されるのを待つ時間が発生するなど検針作業の効率が悪い。このため、検針業務時のみに検針用の指示値を表示する電力量計が望まれている。
【０００７】
また、上記した特許文献１の方法では、巡回者は定期巡回対象に設置された非接触ＩＣタグとの間で信号の授受を行うための質問器を携帯しなければならない。また、質問器は、非接触ＩＣタグに質問信号を送信し、非接触ＩＣタグからの応答信号を受信するための回路と、この回路を動作させるための電池等が必要であり、巡回者の装備が大型化してしまう。
【０００８】
本発明は、検針業務時のみに検針用の指示値が表示される電子式電力量計を提供することを課題とする。
【課題を解決するための手段】
【０００９】
本発明は前記課題を解決するために以下の手段を採用した。請求項１の発明は、電線の電圧を検出する電圧検出部と、前記電線を流れる電流を検出する電流検出部と、前記電圧検出部で検出された電圧及び前記電流検出部で検出された電流に基づいて、電力を演算し、該電力を積算して電力量を算出する処理部と、前記処理部で算出された電力量に基づく検針用の指示値を表示する表示部と、所定範囲内にある無線タグとの間で信号を送受信することにより、前記無線タグに記憶された第１識別情報を読み取るための無線タグ読み書き装置と、前記無線タグ読み書き装置により読み取られた前記第１識別情報と照合されるべき第２識別情報が記憶された記憶部とを備え、前記処理部は、前記無線タグ読み書き装置により読み取られた前記第１識別情報と前記記憶部に記憶された前記第２識別情報とを照合し、前記第１識別情報と前記第２識別情報とが一致したときに、前記表示部に前記検針用の指示値を表示させることを特徴とする。
【００１０】
請求項２の発明は、電線の電圧を検出する電圧検出部と、前記電線を流れる電流を検出する電流検出部と、前記電圧検出部で検出された電圧及び前記電流検出部で検出された電流に基づいて、電力を演算し、該電力を積算して電力量を算出する処理部と、所定範囲内にある無線タグとの間で信号を送受信することにより、前記無線タグに記憶された第１識別情報を読み取るための無線タグ読み書き装置と、前記処理部で算出された電力量を示す電力量データ及び前記無線タグ読み書き装置により読み取られた前記第１識別情報と照合されるべき第２識別情報が記憶された記憶部と、外部の検針用機器が接続され、前記検針用機器からのデータ回収要求を受け付けるデータ回収モードが有効であるときに、前記記憶部に記憶された電力量データを前記検針用機器に送信する通信部とを備え、前記処理部は、前記無線タグ読み書き装置により読み取られた前記第１識別情報と前記記憶部に記憶された前記第２識別情報とを照合し、前記第１識別情報と前記第２識別情報とが一致したときに、前記データ回収モードを有効にするための信号を前記通信部に出力することを特徴とする。
【００１１】
請求項３の発明は、請求項１記載の電子式電力量計において、前記記憶部は、前記無線タグ読み書き装置により読み取られた前記第１識別情報と照合されるべき前記第２識別情報とともに前記処理部で算出された電力量を示す電力量データを記憶し、外部の検針用機器に接続され、前記検針用機器からのデータ回収要求を受け付けるデータ回収モードが有効であるときに、前記記憶部に記憶された電力量データを前記検針用機器に送信する通信部を更に備え、前記処理部は、前記無線タグ読み書き装置により読み取られた前記第１識別情報と前記記憶部に記憶された前記第２識別情報とを照合し、前記第１識別情報と前記第２識別情報とが一致したときに、前記表示部に前記検針用の指示値を表示させるとともに前記データ回収モードを有効にするための信号を前記通信部に出力することを特徴とする。
【発明の効果】
【００１２】
請求項１の発明によれば、無線タグ読み書き装置は、所定範囲内にある無線タグに記憶された第１識別情報を読み取り、処理部は、無線タグ読み書き装置により読み取られた第１識別情報と記憶部に記憶された第２識別情報とを照合し、第１識別情報と第２識別情報とが一致したときに、表示部に検針用の指示値を表示させるので、無線タグを携帯した検針員が所定範囲内にいる検針業務時のみに表示部は検針用の指示値を表示する。このため、電力量計の指示値確認を悪用した空巣犯罪を防止することができる。また、現在計量画面と検針用の指示値画面とを常に交互に表示させる必要が無くなり、検針業務に合わせ効率よく必要な画面表示を行うことができる。
【００１３】
請求項２の発明によれば、無線タグ読み書き装置は、所定範囲内にある無線タグに記憶された第１識別情報を読み取り、処理部は、無線タグ読み書き装置により読み取られた第１識別情報と記憶部に記憶された第２識別情報とを照合し、第１識別情報と第２識別情報とが一致したときに、データ回収モードを有効にするので、検針業務時に、無線タグを携帯した検針員が所定範囲内に入ることで、スイッチ等の操作なしにデータ回収モードを有効にすることができ、データ回収作業の効率が上がる。
【００１４】
請求項３の発明によれば、無線タグ読み書き装置は、所定範囲内にある無線タグに記憶された第１識別情報を読み取り、処理部は、無線タグ読み書き装置により読み取られた第１識別情報と記憶部に記憶された第２識別情報とを照合し、第１識別情報と第２識別情報とが一致したときに、表示部に検針用の指示値を表示するとともにデータ回収モードを有効にするので、無線タグを携帯した検針員が所定範囲内にいる検針業務時のみに表示部は検針用の指示値を表示し、スイッチ等の操作なしにデータ回収モードを有効にすることができる。このため、電力量計の指示値確認を悪用した空巣犯罪を防止することができる。また、現在計量画面と検針用の指示値画面とを常に交互に表示させる必要が無くなり、検針業務に合わせ効率よく必要な画面表示を行うことができる。さらに、データ回収作業の効率が上がる。
【発明を実施するための最良の形態】
【００１５】
以下、本発明の実施例に係る電子式電力量計を図面を参照しながら詳細に説明する。
【実施例１】
【００１６】
本発明の実施例１に係る電子式電力量計は、無線タグを携帯した検針員が該電子式電力量計に近づいたときに、検針用の指示値が表示されることを特徴とする。
【００１７】
図１は本発明の実施例１に係る電子式電力量計の構成を示すブロック図である。図１に示すように、本発明の実施例１に係る電子式電力量計１０は、電圧検出部１、電流検出部２、電力演算部３、中央演算処理部４、表示部５、アンテナ６、送受信回路７、記憶部８で構成されている。また、アンテナ６と送受信回路７とで、無線タグ読み書き装置１６を構成している。
【００１８】
電圧検出部１は電線の電圧を検出し、電流検出部２は電線を流れる電流を検出する。電力演算部３は、電圧検出部１で検出された電圧及び電流検出部２で検出された電流に基づいて電力を演算し、中央演算処理部４は、電力演算部３で演算された電力を積算して電力量を算出する。算出された電力量を示す電力量データは、記憶部８に記憶される。
【００１９】
無線タグ読み書き装置１６の送受信回路７は、無線タグ読取り信号をアンテナ６を介して、無線タグ１５に無線送信して、無線タグ１５からの応答信号をアンテナ６を介して受信する。この無線タグ読取り信号は、無線タグ１５に記憶された識別ＩＤを要求するための信号である。応答信号は、無線タグ１５が無線タグ読取り信号に応答して送信する無線タグ１５の識別ＩＤである。
【００２０】
無線タグ読み書き装置１６は、送受信回路７により、無線タグ１５に無線タグ読取り信号を送信し、無線タグ１５からの応答信号を受信することで、無線タグ１５の識別ＩＤ（本発明の第１識別情報）を読み取る。
【００２１】
記憶部８は、中央演算処理部４により算出された電力量を示す電力量データとともに、無線タグ読み書き装置１６により読み取られた無線タグ１５の識別ＩＤと照合されるべき特定の識別ＩＤ（本発明の第２識別情報）を記憶する。中央演算処理部４は、無線タグ読み書き装置１６により読み取られた無線タグ１５の識別ＩＤと記憶部８に記憶された識別ＩＤとを照合する。
【００２２】
中央演算処理部４は、無線タグ読み書き装置１６により読み取られた識別ＩＤが記憶部８に記憶された識別ＩＤと一致した場合（以降、無線タグ１５を検出したという）、表示部５に、中央演算処理部４により算出された電力量に基づく検針用の指示値を表示させる。
【００２３】
なお、無線タグ読み書き装置１６が無線タグ１５を検出したときに、該無線タグ１５の識別ＩＤ及び検出時刻を記憶部８に記憶することもできる。また、このときに無線読み書き装置１６は、該無線タグ１５の図示しないメモリに、検針が行なわれた電力量計の識別ＩＤや検針した月日時刻等の情報を書き込むことができる。このように、無線タグ１５のメモリに電力量計の識別ＩＤや検針した月日時刻を記憶することにより、無線タグ１５に検針員の業務記録をとることができる。
【００２４】
図２は本発明の実施例１に係る電子式電力量計１０及び無線タグ１５を利用した応答検針システムを示す図であり、図３は本発明の実施例１に係る電子式電力量計１０の動作を示すフローチャートである。
【００２５】
図２に示すように、本発明の実施例１に係る電子式電力量計１０は、無線タグ通信可能エリア１１内に無線タグ読取り信号を送信している。この無線タグ通信可能エリア１１は、無線タグ読み書き装置１６が無線タグ１５の識別ＩＤを読み取ることができる範囲であり、検針員９が電子式電力量計１０の検針作業時に使う作業エリアと略同一の範囲になるように設定される。検針員９は、電子式電力量計１０の指示値を記憶するためのハンディターミナル１４ａ及び記憶部８に記憶された識別ＩＤと一致する識別ＩＤが記憶された無線タグ１５を携帯している。
【００２６】
次に、図２及び図３を用いて、本発明の実施例１に係る電子式電力量計の動作を詳細に説明する。無線タグ１５を携帯した検針員９が電子式電力量計１０の無線タグ読み書き装置１６の無線タグ通信可能エリア１１外にいる場合、表示部５は、画面非表示状態または現在の指示値を表示している（ステップＳ１１）。
【００２７】
無線タグ１５を携帯した検針員９が電子式電力量計１０の無線タグ読み書き装置１６の無線タグ通信可能エリア１１内に入ったとき、無線タグ読み書き装置１６は無線タグ１５を検出し（ステップＳ１２）、表示部５は検針用の指示値を表示する（ステップＳ１３）。
【００２８】
無線タグ１５を携帯した検針員９が無線タグ読み書き装置１６の無線タグ通信可能エリア１１外に出て、無線タグ読み書き装置１６が無線タグ１５を検出しなくなった場合、表示部５は、画面非表示状態または現在の指示値表示に戻る（ステップＳ１４）。
【００２９】
このように、本発明の実施例１に係る電子式電力量計は、無線タグ読み書き装置１６が、無線タグ通信可能エリア１１内にある無線タグ１５に記憶された識別ＩＤを読み取り、中央演算処理部４は、無線タグ読み書き装置１６により読み取られた識別ＩＤと記憶部８に記憶された識別ＩＤとを照合し、無線タグ読み書き装置１６により読み取られた識別ＩＤと記憶部８に記憶された識別ＩＤとが一致したときに、表示部５に検針用の指示値を表示させるので、無線タグ１５を携帯した検針員９が無線タグ通信可能エリア１１内にいる検針業務時のみに表示部５は検針用の指示値を表示する。
【００３０】
このため、電力量計の指示値確認を悪用した空巣犯罪を防止することができる。また、現在計量画面と検針用の指示値画面とを常に交互に表示させる必要が無くなり、検針業務に合わせ効率よく必要な画面表示を行うことができる。
【実施例２】
【００３１】
本発明の実施例２に係る電子式電力量計は、無線タグを携帯した検針員が近づいたときに、外部の検針用機器からの検針データ回収要求を受け付けるデータ回収モードを有効にすることを特徴とする。
【００３２】
図４は本発明の実施例２に係る電子式電力量計の構成を示すブロック図である。図４に示すように、実施例２に係る電子式電力量計１０は、通信部１３を備えている。その他の構成は、図１に示す実施例１に係る電子式電力量計１０の構成と同一であり、重複する説明は省略する。
【００３３】
中央演算処理部４ａは、無線タグ読み書き装置１６により読み取られた識別ＩＤが記憶部８に記憶された識別ＩＤと一致した場合、外部の検針用機器（例えば、ハンディターミナル）からのデータ回収要求を受け付けるデータ回収モードを有効にするための信号を通信部１３に出力する。
【００３４】
通信部１３は、検針用機器と接続され、データ回収モードが有効であるときに、検針用機器からのデータ回収要求を受け付け、記憶部８に記憶された電力量データを検針用機器に送信する。
【００３５】
図５は本発明の実施例２に係る電子式電力量計１０及び無線タグ１５を利用した応答検針システムを示す図であり、図６は本発明の実施例２に係る電子式電力量計１０の動作を示すフローチャートである。
【００３６】
図５に示すように、本発明の実施例２に係る電子式電力量計１０は、無線タグ通信可能エリア１１内に無線タグ読取り信号を送信している。検針員９は、電子式電力量計１０の指示値を通信により回収するためのハンディターミナル１４ｂ及び記憶部８に記憶された識別ＩＤと一致する識別ＩＤが記憶された無線タグ１５を携帯している。ハンディターミナル１４ｂはケーブル１２を介して電力量計１０に接続される。
【００３７】
次に、図５及び図６を用いて、本発明の実施例２に係る電子式電力量計の動作を詳細に説明する。無線タグ１５を携帯した検針員９が電子式電力量計１０の無線タグ読み書き装置１６の無線タグ通信可能エリア１１外にいる場合、電子式電力量計１０は通常モードである（ステップＳ２１）。この通常モードでは電子式電力量計１０とハンディターミナル１４ｂとの間で通信を行うことができない。
【００３８】
無線タグ１５を携帯した検針員９が電子式電力量計１０の無線タグ読み書き装置１６の無線タグ通信可能エリア１１内に入ったとき、無線タグ読み書き装置１６は無線タグ１５を検出し（ステップＳ２２）、電子式電力量計１０のデータ回収モードが有効になる（ステップＳ２３）。
【００３９】
無線タグ１５を携帯した検針員９が無線タグ読み書き装置１６の無線タグ通信可能エリア外に出て、無線タグ読み書き装置１６が無線タグ１５を検出しなくなった場合、電子式電力量計１０は、通常モードに戻る（ステップＳ２４）。
【００４０】
このように、本発明の実施例２に係る電子式電力量計は、無線タグ読み書き装置１６が、無線タグ通信可能エリア１１内にある無線タグ１５に記憶された識別ＩＤを読み取り、中央演算処理部４ａは、無線タグ読み書き装置１６により読み取られた識別ＩＤと記憶部８に記憶された識別ＩＤとを照合し、無線タグ読み書き装置１６により読み取られた識別ＩＤと記憶部８に記憶された識別ＩＤとが一致したときに、データ回収モードが有効にするので、検針業務時に、無線タグ１５を携帯した検針員９が無線タグ通信可能エリア１１内に入ることで、スイッチ等の操作なしにデータ回収モードを有効にすることができ、データ回収作業の効率が上がる。
【００４１】
なお、実施例１の電子式電力量計１０に通信部１３を設け、実施例２の動作と同様に動作させることで、実施例１においても実施例２の効果と同様の効果を得ることができる。
【産業上の利用可能性】
【００４２】
本発明は、電力量を計量する電子式電力量計として、さまざまな需要家において、利用可能である。
【図面の簡単な説明】
【００４３】
【図１】本発明の実施例１に係る電子式電力量計の構成を示すブロック図である。
【図２】本発明の実施例１に係る電子式電力量計及び無線タグを利用した応答検針システムを示す図である。
【図３】本発明の実施例１に係る電子式電力量計の動作を示すフローチャートである。
【図４】本発明の実施例２に係る電子式電力量計の構成を示すブロック図である。
【図５】本発明の実施例２に係る電子式電力量計及び無線タグを利用した応答検針システムを示す図である。
【図６】本発明の実施例２に係る電子式電力量計の動作を示すフローチャートである。
【図７】従来の電子式電力量計の画面遷移図である。
【符号の説明】
【００４４】
１…電圧検出部
２…電流検出部
３…電力演算部
４、４ａ…中央演算処理部
５…表示部
６…アンテナ
７…送受信回路
８…記憶部
９…検針員
１０…電子式電力量計
１１…無線タグ通信可能エリア
１２…ケーブル
１３…通信部
１４ａ、１４ｂ…ハンディターミナル
１５…無線タグ
１６…無線タグ読み書き装置
【図１】
2006242598.tif 000003
【図２】
2006242598.tif 000004
【図３】
2006242598.tif 000005
【図４】
2006242598.tif 000006
【図５】
2006242598.tif 000007
【図６】
2006242598.tif 000008
【図７】
2006242598.tif 000009